【事件の表示】
　平成　８年特許願第１３７９４５号「画像処理装置および画像処理装置のジョブ処理方法」拒絶査定不服審判事件〔平成　９年１２月　９日出願公開、特開平　９−３１４９２７〕について、次のとおり審決する。
【結　論】
　本件審判の請求は、成り立たない。
【理　由】
１．手続の経緯・本願発明
　本願は、平成８年５月３１日の出願であって、平成１９年２月２２日付けで通知した拒絶理由に対し、同年４月２７日付けで手続補正書が提出され、同年１０月２６日付けで再度通知した最後の拒絶理由に対し、平成２０年１月７日付けで手続補正書が提出されたが、同年３月２６日付けで拒絶査定がなされ、これに対し、同年５月１日に拒絶査定に対する審判請求がなされたものである。
　
　上記の平成２０年１月７日付けの手続補正により、請求項１中の「第１の指定手段に指定された」が、「第１の指定手段に
より
　
　そうすると、本願の請求項１〜５に係る発明は、平成２０年１月７日付けの手続補正書により補正された特許請求の範囲の請求項１〜５に記載された事項により特定されたとおりのものと認められるところ、その請求項１に係る発明（以下、「本願発明」という。）は、以下のとおりである。
　
「　【請求項１】　原稿画像を入力する画像入力手段と、前記画像入力手段から入力される原稿画像情報または所定の通信媒体を介して外部機器から入力される印刷情報を出力する画像出力手段とを有する画像処理装置において、
前記外部機器から入力される印刷情報に基づく第１のジョブと前記画像入力手段から入力される前記原稿画像情報に基づく第２のジョブとを記憶する記憶手段と、
前記記憶手段に記憶された前記第１のジョブまたは前記第２のジョブを記憶順に実行するジョブ実行手段と、
前記第１のジョブまたは前記第２のジョブのいずれか一方を優先させるための優先出力モードを指定する第１の指定手段と、
前記第１の指定手段により指定された前記優先出力モードに基づいて前記記憶手段に記憶させる前記第２のジョブの記憶順序を制御するジョブ制御手段とを有し、
前記ジョブ実行手段は、前記第１の指定手段で前記第１のジョブを優先させるための優先出力モードが指定されており、且つ前記第２のジョブの実行指示の際に前記第１のジョブが実行中であった場合、当該第２のジョブに係る原稿画像情報及び処理内容を示すコピーモードを記憶して待機する第１の処理、当該第２のジョブに係る原稿画像情報を記憶せずに処理内容を示すコピーモードを記憶して待機する第２の処理及び当該第２のジョブの実行指示の再選択を行わせる第３の処理のいずれかに従って前記第２のジョブの実行を制御することを特徴とする画像処理装置。」
　
２．引用刊行物
　
２−１．引用刊行物１
　これに対して、原査定の拒絶の理由に引用された、特開平４−３０５７７７号公報（原査定の拒絶の理由の引用文献１、以下、「引用刊行物１」という。）には、以下の事項が記載されている（下線は当審で付与）。
　
（１−ａ）「【０００２】
【従来の技術】図５はデジタル画像処理装置の従来例を示す図である。
【０００３】デジタル複写機では、ＩＩＴ（イメージ入力ターミナル）４３で例えばＣＣＤセンサを用いて原稿を読み取り、そのビデオ信号のアナログ値をデジタル値に変換する。そして、ＩＰＳ（イメージ処理システム）で補正、編集等の処理を行って２値データに変換し、ＩＯＴ（イメージ出力ターミナル）４６で２値データに基づき画素のオン／オフを制御して網点画像を出力することによって原稿画像を再現している。
【０００４】上記のようなデジタル複写機に外部機器としてＰＣ（パーソナルコンピュータ）やＦＡＸ等を接続してＩＯＴ４６を共用しようとする場合には、図５に示すようにＩＯＴ４６をＩＩＴ４３から切離し、その間に切り換え器４５を設ける。そして、ＰＣ４１やＦＡＸ４４等をＩＩＴ４３と切り換えてＩＯＴ４６に接続し、パソコン４１やＦＡＸ４４等の２値データもＩＩＴ４３からの２値データと同様に出力できるような構成になる。
この場合、ＰＣ４１は通常コードデータであるので、コードデータをビットマップ化した後の２値データをＩＯＴ４６に送り、ＦＡＸ４４も同様に復号化した２値データをＩＯＴ４６に送るような構成になる。
【０００５】
【発明が解決しようとする課題】上記のように従来もデジタル複写機とＰＣ、ＦＡＸ等を一体化し、プリンタを共用したものは存在するが、これらはいずれもそれぞれの機能が独立、排他的に動作するだけのもので生産性は高くなかった。
【０００６】また、
上記のようにデジタル複写機とＰＣ、ＦＡＸ等を一体化した従来の装置は、複写機能とＦＡＸ、プリンタージョブを並列に実行するものではなく、ジョブは先着優先とされている。そのため、大量のプリントジョブ中は、複写機能が使用できないという問題が生じる
【０００７】
本発明の目的は、マルチファンクションデジタル複写機において、ジョブ進行管理、ジョブ優先度管理を行い、利用者の待ち時間の低減、生産性の向上を図ることである。
　
（１−ｂ）「【００１０】
【実施例】以下、図面を参照しつつ実施例を説明する。
図１は本発明に係るマルチファンクション画像処理装置の１実施例を示す図である。
【００１１】
図１において、主制御装置１は、画像読み取り装置の画像データとＰＣやＦＡＸ等の外部機器の画像データとを切り換えるマルチプレクサ３
ページバッファ６
【００１２】
スキャナ１８は、例えばＣＣＤセンサを使って原稿を読み取る画像読み取り装置であり
【００１３】画像出力装置２０は、画像データから生成された２値データに基づきレーザ光のオン／オフを各画素毎に制御して網点により中間調画像を再現することができる例えばレーザプリンタである。
【００１４】ＰＣ１７は、任意のパーソナルコンピュータであり、ＰＣデコンポーザ１６は、ＰＣ１７のコードデータをビットマップに展開するものである。ＩＯＣＰ１１は、ＰＣ画像データの入力回路１５、ページバッファ１２、画像転送回路１４、及び制御回路１３からなる外部機器制御装置であり、ページバッファ１２に格納した画像データを適宜分割して転送する。
【００１５】
ＵＩ２１は、ディスプレイやコントロールパネル等で構成し、種々の機能や編集の設定入力、その内容の表示出力を行うものである
　
（１−ｃ）「【００２０】
ページバッファ６は、原稿の数ページ分の画像データを格納するものであり、ディス７への書き込みデータやディスク７からの読み出しデータを一時的に格納したり、画像出力する画像データをディスク７へ書き込まずに一時的に格納し制御回路２により書き替えや置換等の編集を行って出力するために用いるものである
　
（１−ｄ）「【００４１】
図３において、リソースマネージャは、プリントジョブスケジューラとコピージョブスケジューラからジョブ要求を受け、プリント画像データとコピー画像データの並列実行を制御するものであり、ＵＩからの指示によりプリントジョブとコピージョブの優先度の変更も行う
【００４２】コピージョブスケジューラは、先行コピージョブの状態をリソースマネージャから入力する。そして、ジョブ終了時には、コピージョブノードキューに接続されている次のジョブをリソースマネージャに要求し、ジョブ中断時には、中断要因の解除を待ち、解除された後リソースマネージャにジョブ継続要求を出す。
【００４３】ＵＩインプットタスクは、ＵＩからジョブ要求を入力し、コピージョブノードキューにジョブ情報を接続する。
【００４４】プリントジョブスケジューラは、先行プリントジョブの状態をリソースマネージャから入力する。
そして、ジョブ終了時には、プリントジョブノードキューに接続されている次のジョブをリソースマネージャに要求し、ジョブ中断時には、中断要因の解除を待ち、解除された後本ジョブをプリントジョブノードキューに戻す。
【００４５】ＩＯＣＰインプットタスクは、ＩＯＣＰからプリントジョブ要求を入力し、ジョブ情報をプリントジョブノードキューに接続する。
【００４６】ジョブノードキューは、図４に示すようにキューリストに接続されている先頭と最後のジョブノード情報のポインタを保持する。
【００４７】コピージョブとプリントジョブとのジョブの受け付け条件は例えば次のようになる。コピージョブが処理中であれば、次のコピージョブは受け付けないがプリントジョブは受け付ける。これに対してプリントジョブでディスク書き込み中であれば、コピージョブは受け付けるがプリントジョブは受け付けない。
また、プリントジョブの出力中であれば、コピージョブはディスク書き込みまで受け付け、次のプリントジョブも受け付ける。
　
　これらの記載を総合すると、引用刊行物１には、次の発明（以下、「引用発明１」という。）が記載されているものと認められる。
　
「原稿を読み取って入力する画像読み取り装置と、前記画像読み取り装置から入力された画像データまたはデジタル複写機に接続されたＰＣから入力される２値データを出力するデジタル複写機を有するマルチファンクション画像処理装置において、
前記ＰＣから入力される２値データに基づくプリントジョブと前記画像読み取り装置から入力される画像データに基づくコピージョブとを記憶するページバッファと、
前記プリントジョブまたはコピージョブを先着優先で実行するリソースマネージャーと、
前記プリントジョブまたは前記コピージョブの優先度の変更を行うための指示を行うＵＩと、
前記ＵＩにより指示された優先度の変更に従って、ジョブの優先度の変更を行うリソースマネージャーとを有し、
前記リソースマネージャーは、前記ＵＩによって、プリントジョブを優先させるモードが指定されており、かつコピージョブ実行指示の際に前記プリントジョブが実行中であった場合、当該コピージョブをディスク書き込みまで受け付ける処理を行うマルチファンクション画像処理装置。」
　
２−２．引用刊行物２
　同じく、原査定の拒絶の理由に引用された、特開平６−３４８４３３号公報（原査定の拒絶の理由の引用文献２、以下、「引用刊行物２」という。）には、以下の事項が記載されている。
　
（２−ａ）「【００１７】まず、ワークステーション５、６からネットワーク１を介してＮＣ部８よりプリント出力要求(開始命令)があるか否かを判別し（ステップＳ1)、要求があった場合に補助記憶部９に待避している出力情報が補助記憶部９の容量を満たしているか否かを判別する(ステップＳ2)。補助記憶部９の容量を満たしている場合には、プリント待ちビジー状態である旨をネットワーク１を介してワークステーション５、６に伝達する(ステップＳ3)。
【００１８】一方、補助記憶部９の容量を満たしていない場合には、出力情報を補助記憶部９に待避する(ステップＳ4)。次いで、補助記憶部９に待避している出力情報のうち同一の受け取り人のものがあるか否かを判別し(ステップＳ5)、同一の受け取り人の出力情報がある場合には連続して出力できるようにまとめる(ステップＳ6)。」
　
２−３．引用刊行物３
　同じく、原査定の拒絶の理由に引用された、特開平５−２２１０３８号公報（原査定の拒絶の理由の引用文献４、以下、「引用刊行物３」という。）には、以下の事項が記載されている（下線は当審で付与）。
　
（３−ａ）「【０００７】
【実施例】以下、本発明の一実施例を図面を用いて説明する。
図１は本発明の一実施例としてのプリンタバッファの概略構成とデータの流れを示す図である。図中、１はデータバッファ、２は書式設定データバッファ、
【０００８】以下、図２に示す入力処理手順について説明する。入力データ（すなわち、ホストコンピュータからプリンタバッファへ入力されるデータ）が無ければ、＃１で待機し、入力データが有れば、これを取り込んで、優先コマンドであるか否かを＃２で判断する。ここで、優先コマンドとは、特定の１バイトのデータ又は特定のデータ列で構成されているものとする。入力データが優先コマンドでなければ、取り込んだデータをデータバッファ１へ書き込む（＃３）。入力データが優先コマンドならば、優先コマンドフラグ３をセットする（＃４）。後述の出力処理手順では、この優先コマンドフラグ３の状態を調べることにより、優先印字のためのコマンドを受け付けたことを知ることができる。優先コマンドのデータは、プリンタに出力しないので、本実施例では、データバッファ１へ書き込まないようにしている。なお、初期状態において、優先コマンドフラグ３はリセットしておくものである。
【０００９】次に、図３に示す出力処理手順について説明する。
出力データ（すなわち、プリンタバッファからプリンタへの出力データ）が無ければ、＃５で待機し、出力データが有れば、これを読み出して、書式設定データであるか否かを＃６で判断する。書式設定データであれば、これをデータバッファ１とは別に設けた書式設定データバッファ２に書き込みながら、プリンタにも書式設定データを出力する（＃７，＃８）。
【００１０】以上の動作を、図１に示す例を挙げて更に説明する。
データバッファ１には既に印刷物のデータ入力を完了したものとする。このとき、出力処理手順では、印刷物のデータをデータバッファ１から読み出し、プリンタに出力している。印刷物の書式設定データは、書式設定データバッファ２に書き込まれている。
出力処理手順では、印刷物の１ページ目の印字データを出力した後、優先コマンドフラグ３をチェックする。この優先コマンドフラグ３がセットされているため、印刷物の２ページ目の先頭ポインタを出力ポインタレジスタ４にセーブする。
印刷物の終わりを判断すると、優先コマンドフラグ３をリセットし、印刷物の書式設定データをバッファ２から読み出して、プリンタへ出力する。
　
３．対比、判断
　
　本願発明と引用発明１とを対比する。
　引用発明１の、
「原稿」、
「画像読み取り装置」、
「画像データ」、
「ＰＣから入力される２値データ」、
「デジタル複写機」、
「マルチファンクション画像処理装置」、
「プリントジョブ」、
「コピージョブ」、
「ページバッファ」、
「リソースマネージャー」、
「ＵＩ」
　
は、それぞれ、本願発明の
　
「原稿画像」、
「画像入力手段」、
「原稿画像情報」、
「外部機器から入力される印刷情報」、
「画像出力手段」、
「画像処理装置」、
「第１のジョブ」、
「第２のジョブ」、
「記憶手段」、
「ジョブ実行手段」及び「ジョブ制御手段」、
「第１の指定手段」
　
に相当する。
　
　また、引用発明１の「先着優先で実行する」ことは、本願発明の「記憶順に実行する」ことに相当し、引用発明１における、デジタル複写機とＰＣとの接続は、有線、無線のいずれかによって接続を行っており、いずれにしても、何らかの「所定の通信媒体を介して」接続しているものと認められる。
　さらに、引用発明１における「コピージョブをディスク書き込みまで受け付ける処理」は、本願発明の「第２のジョブに係る原稿画像情報及び処理内容を示すコピーモードを記憶」することに相当する。
　また、本願発明における「第１の指定手段により指定された前記優先出力モードに基づいて前記記憶手段に記憶される前記第２のジョブの記憶順序を制御」することによって、第１のジョブと第２のジョブの処理の順序が制御されるのであるから、本願発明の「第１の指定手段により指定された前記優先出力モードに基づいて前記記憶手段に記憶される前記第２のジョブの記憶順序を制御」することと、引用発明１の「プリントジョブまたは前記コピージョブの優先度の変更」をすることは、「第１のジョブと第２のジョブの処理の順序を制御する」点で共通する。
　
　してみると、両者は、
　
「原稿画像を入力する画像入力手段と、前記画像入力手段から入力される原稿画像情報または所定の通信媒体を介して外部機器から入力される印刷情報を出力する画像出力手段とを有する画像処理装置において、
前記外部機器から入力される印刷情報に基づく第１のジョブと前記画像入力手段から入力される前記原稿画像情報に基づく第２のジョブとを記憶する記憶手段と、
前記記憶手段に記憶された前記第１のジョブまたは前記第２のジョブを記憶順に実行するジョブ実行手段と、
前記第１のジョブまたは前記第２のジョブのいずれか一方を優先させるための優先出力モードを指定する第１の指定手段と、
前記第１の指定手段により指定された前記優先出力モードに基づいて、第１のジョブと第２のジョブの処理の順序を制御するジョブ制御手段とを有し、
前記ジョブ実行手段は、前記第１の指定手段で前記第１のジョブを優先させるための優先出力モードが指定されており、且つ前記第２のジョブの実行指示の際に前記第１のジョブが実行中であった場合、当該第２のジョブに係る原稿画像情報及び処理内容を示すコピーモードを記憶して待機する処理を行う画像処理装置。」
　
の点で一致し、以下の点で相違している。
　
・相違点１
　本願発明では、第１の指定手段により指定された優先出力モードに基づいて、ジョブ制御手段が記憶手段に記憶されている第２のジョブの記憶順序を制御しているのに対し、引用発明１では、第１のジョブと第２のジョブの処理の順序は制御しているものの、記憶順序の制御を行っているかどうか不明である点。
　
・相違点２
　第１の指定手段で第１のジョブを優先させるための優先出力モードが指定されており、且つ第２のジョブの実行指示の際に第１のジョブが実行中であった場合のジョブ実行手段の処理が、本願発明では、第２のジョブに係る原稿画像情報及び処理内容を示すコピーモードを記憶して待機する第１の処理、当該第２のジョブに係る原稿画像情報を記憶せずに処理内容を示すコピーモードを記憶して待機する第２の処理及び当該第２のジョブの実行指示の再選択を行わせる第３の処理のいずれかに従って前記第２のジョブの実行を制御しているのに対し、引用発明１では、上記の処理のうち第１の処理に該当する処理のみを行い、第２の処理又は第３の処理の選択肢がない点。
　
　上記相違点について検討する。
　
・相違点１について
　画像処理装置において、処理するべき複数のジョブが与えられたときに、優先度に応じて優先するジョブを記憶手段の記憶順序の最上位に記憶させ、優先しないジョブを記憶手段の最下位に記憶させるようにすることは、周知（必要であれば、原査定の拒絶の理由で引用文献３として引用された特開平８−６３３０７号公報（特に段落【００２７】等）、同じく原査定の拒絶の理由で引用文献５として引用された特開平４−４８３２２号公報（特に第２ページ左下欄等）などを参照）であり、引用発明１において、ジョブの優先度の変更を行ったときに、併せて記憶手段におけるジョブの記憶順序を変更するようにすることは、当業者が適宜容易になし得ることである。
　
・相違点２について
　引用刊行物２には、補助記憶部の容量の空き状況に応じて、出力情報を補助記憶部に記憶しておくかどうかを切り換えることが記載されている。また、引用刊行物３には、印字データと印字データ以外の書式設定データを有し、印字データ以外の書式設定データは、データバッファだけではなく、別の記憶部である書式設定バッファにも記憶しておき、別の印字データが優先印字された後に、中断されていた印字の継続を行う際に、書式設定データについては、再度データバッファからのデータ送信を行うことなく、記憶されておいた書式設定データバッファから読み出しを行って印字動作を継続すること、すなわち、印字データと書式設定データを別の記憶部に記憶しておき、データが再度必要となった場合に、印字データと書式設定データの双方を再送信するのではなく、書式設定データについては、書式設定データを記憶している記憶部から送信することが記載されている。
　ここで、引用発明１と引用刊行物２及び３に記載の事項は、送信された印字データを用いて、画像出力を行う点で共通しているから、引用発明１のジョブ実行手段の処理として、原稿画像情報と、原稿画像情報以外の書式設定データの双方を記憶しておくことに加え、場合に応じて、記憶手段への記憶を行わなかったり、コピーモードに相当する書式設定データのみを抽出して記憶しておくようにすることは、当業者が適宜容易になし得ることである。また、その際に、記憶しておかなかったデータについては、破棄して再度印字を実行する際に再送信することになるが、再送信時に第１のジョブであるプリンタからのデータの処理が継続している場合には、同様の処理をして再度データの破棄を行うことになるという繰り返しとなるため、コピーのジョブを優先したり、プリンタジョブが終了するまでコピーのジョブの再送信を停止させるといった、ジョブの実行処理の再選択を行わせるようにすることは、適宜なし得ることにすぎない。
　
　また、これらの事項を備えた本願発明の作用効果は、引用刊行物１に記載された発明、引用刊行物２及び３に記載された事項から予測し得る程度のものにすぎない。
　
　よって、本願発明は、引用文献１〜３に記載された発明に基づいて、当業者が容易に発明することができたものである。
　
４．むすび
　以上のとおりであるから、本願の請求項１に係る発明は、特許法第２９条第２項の規定により特許を受けることができないものであるので、他の請求項について検討するまでもなく、本願は拒絶すべきものである。
　
　よって、結論のとおり審決する。